(57)【要約】  少なくとも１人の人の少なくとも１つの生理的パラメータ及びある領域内での動きを捕捉して観察する方法が提供される。領域はそれぞれの場所識別子を有するセルに分割される。各人は各自の器具を提供されてその人の少なくとも１つの生理的パラメータが測定される。生理的パラメータはその人がある健康状態にあるかどうかを示す。各器具は器具識別子を有する。器具が用いられて各器具を用いている人の生理的パラメータを少なくとも完結的に測定し、各測定に対する生理的パラメータ測定値を得る。生理的パラメータ測定値は、生理的パラメータ測定値が得られるセルの識別子及び時間によって器具の各器具識別子と関連付けられる。関連付けられた情報が遠隔位置で記憶される。システム及び生理的パラメータ器具も開示される。
2007521030.tif 000002
【特許請求の範囲】
【請求項１】
少なくとも１人の人の少なくとも１つの生理的パラメータ及びある領域内での動きを捕捉して観察する方法であって、
前記領域をそれぞれ場所識別子を有するセルに分割するステップと、
各人に各人の少なくとも１つの生理的パラメータを測定する各自の器具を提供し、前記生理的パラメータが前記人がある健康状態にあるかどうかを示し、各々の器具が器具識別子を有するステップと、
各自の器具を用いて各人の生理的パラメータを少なくとも間欠的に測定して各測定に対する生理的パラメータ測定値を得るステップと、
前記生理的パラメータが得られるセルのそれぞれの場所識別子及び時間によって、前記生理的パラメータ測定値の選択された数の各々を少なくとも選択された数の前記器具のそれぞれの器具識別子と関連させるステップと、
前記関連する生理的パラメータ測定値、器具識別子、場所識別子及び時間を記憶するステップと、
を含むことを特徴とする方法。
【請求項２】
前記観察が遠隔場所から実施されることを特徴とし、
前記方法が、
前記関連する生理的パラメータ測定値、器具識別子、場所識別子及び時間を前記遠隔場所に送信してそこで記憶させるステップを更に含む請求項1記載の方法。
【請求項３】
前記生理的パラメータ測定値を第１の予め定められた生理的パラメータ閾値と比較して前記人が適切に前記装置を装着しているかどうか判定するステップをさらに含む請求項１及び２記載の方法。
【請求項４】
前記人が適切に器具を装着していないと判定される場合に、生理的パラメータ測定値と関連する前記器具識別子及び前記場所識別子を用いている人を識別して位置を示すステップを更に含む請求項３記載の方法。
【請求項５】
前記生理的パラメータ測定値を第２の予め定められた生理的パラメータ閾値と比較して、前記人がある健康状態にあるかどうかを判定するステップをさらに含む請求項１乃至４記載の方法。
【請求項６】
前記人が前記健康状態にあると判定される場合に、前記生理的パラメータ測定値に関連する前記器具識別子及び前記場所識別子を用いている前記人を識別して位置を示すステップを更に含む請求項５記載の方法。
【請求項７】
前記第２の予め定められた生理的パラメータ閾値が個々に予め決められることを特徴とする請求項５及び６に記載の方法。
【請求項８】
前記人に対して個々に判定される生理的パラメータ修正要因によって前記生理的パラメータ測定値を調整してから前記調整された生理的パラメータ測定値を前期第１または前記第２の予め定められた生理的パラメータ閾値と比較するステップをさらに含む請求項３乃至７記載の方法。
【請求項９】
少なくとも１人の他の人のそれぞれの器具から測られる少なくとも１つの生理的パラメータ測定値に関連する時間及び場所識別子を前記識別されて位置を示された人の前記時間及び場所識別子と一致させるステップと、
一致する場合に前記他の人が前期識別されて位置を示された人の物理的近傍にいたと識別するステップと、
を含む請求項６乃至８記載の方法。
【請求項１０】
少なくとも1人の人の少なくとも１つの生理的パラメータ及びある領域内での動きを捕捉して観察するシステムであって、
遠隔制御装置と、
前記領域内で空間的配置において設けられて前記領域をそれぞれのセルに分割し、さらに、各々がそれぞれステーション識別子を有し、前記制御装置に接続されて、第１の人に取付けられた少なくとも１つの生理的パラメータ測定器具から生理的パラメータ測定値及びそれぞれの器具識別子を受信し、前記受信した生理的パラメータ測定値及び前記器具識別子をそのステーション識別子とともに前記制御装置に送信するように用いられることを特徴とする複数のアクセスステーションと、
前記生理的パラメータ測定値、前記器具識別子、前記ステーション識別子及び前記生理的パラメータ測定値が前記器具によって取得された時間が、前記制御装置において第１の記録に記憶されることを特徴とするシステム。
【請求項１１】
前記制御装置が用いられて、前記生理的パラメータ測定値を第１の予め定められた生理的パラメータ閾値と比較して前記第１の人が適切に前記装置を装着しているかどうか判定することを特徴とする請求項１０記載のシステム。
【請求項１２】
前記制御装置がさらに用いられて、前記生理的パラメータ測定値に関連する前記器具識別子及び前記場所識別子に対応する情報を提供し、前記第１の人が前記器具を適切に装着していないと判定される場合に前記第１の人を識別して位置を示すことを特徴とする請求項１１記載のシステム。
【請求項１３】
前記制御装置が用いられて、前記生理的パラメータ測定値を第２の予め定められた閾値と比較して、前記第１の人がある健康状態にあるかどうか判定することを特徴とする請求項１０乃至１２記載のシステム。
【請求項１４】
前記制御装置がさらに用いられて、前記生理的パラメータと関連する前記器具識別子及び前記場所識別子に対応する情報を提供し、前記第１の人が前記健康状態にあると判定される場合に前記第１の人を識別して位置を示すことを特徴とする請求項１３記載のシステム。
【請求項１５】
前記第２の予め定められた生理的パラメータ閾値が、前記第１の人に対して個々に予め定められていることを特徴とする請求の範囲１３及び１４記載のシステム。
【請求項１６】
前記生理的パラメータ測定値が調整されて、前記調整された生理的パラメータ測定値を前記第１または第２の生理的パラメータ閾値のいずれかと比較する前に、前記第１の人に対して個々に判定される生理的パラメータ修正要因を含むことを特徴とする請求項1１乃至１５記載のシステム。
【請求項１７】
前記制御装置が用いられて、少なくとも１人のその他の人の別の各自の器具から得られる少なくとも別の記録の日付、時間及び場所識別子を前記第1の記録の日付、時間及び場所識別子と一致させて、一致があれば少なくとも1人のその他の人が前記第１の人の物理的近傍にいるということを識別することを特徴とする請求項１４乃至１６記載のシステム。
【請求項１８】
前記制御装置が用いられて、前記第１の人が前記器具を適切に装着していないかまたは前記健康状態にあるかのいずれかと判定される場合に、警告メッセージを生成し、前記警告メッセージが前記ステーション識別子及び前記器具識別子に対応する情報を含むことを特徴とする請求項１１乃至１７記載のシステム。
【請求項１９】
前記警告メッセージが、前記制御装置が接続可能である通信ネットワークを介して予め定められた受取人に送出されることを特徴とする請求項１８記載のシステム。
【請求項２０】
前記通信ネットワークが、公衆通信ネットワークであることを特徴とする請求項１９記載のシステム。
【請求項２１】
前記制御装置が用いられて、前記器具にその器具識別子及び前記器具で測定された生理的パラメータ測定値を送信するように指示することを特徴とする請求項１０乃至２０記載のシステム。
【請求項２２】
前記制御装置が用いられて、少なくとも１つの選択されたアクセスステーションを介して対応する指示を放送することによって前記器具に指示し、前記指示が前記少なくとも１つの選択されたアクセスステーションのサービスエリア内の全ての器具で受信可能であることを特徴とする請求項２１記載のシステム。
【請求項２３】
前記第１の人に取付けられて前記第１の人の少なくとも１つの生理的パラメータを観察する少なくとも１つの生理的パラメータ測定器具を含み、各々の器具が器具識別子を有していて前記セル内にあるときに前記セルの前記各アクセスステーションに接続されていることをさらに含む請求項１０乃至２２記載のシステム。
【請求項２４】
生理的パラメータ測定器具であって、
変換器と、
送信器と、
前記変換器及び前記送信器に接続されていて、前記変換器を制御して人の生理的パラメータを少なくとも間欠的に測定しかつ、前記測定値が少なくとも予め定められた閾値からはずれていると判断される場合に前記送信器を制御して前記測定された生理的パラメータに対応する測定値を送信するようになすプロセッサと、
を含む測定器具。
【請求項２５】
前記プロセッサに接続された受信器を更に含み、前記測定値が、前記プロセッサが前記レシーバを介してそうするようにという指示を受信する場合にだけ、前記測定値が送信されることを特徴とする請求項２４記載の器具。
【請求項２６】
第１の部分と、
第２の部分と、
前記第１の部分と前記第２の部分との間で接続している可撓性中間部分と、
を有する筐体をさらに含み、筐体をさらに含む請求項２４及び２５記載の器具。
【請求項２７】
前記器具が体温計であることを特徴とする請求項２４乃至２６記載の器具。
【請求項２８】
前記プロセッサ、前記送信器及び前記受信器が前記第１の筐体部分に収容され、前記変換器が前記第２の筐体部分で支持されることを特徴とする請求項２７記載の器具。
【請求項２９】
前記第１及び第２の部分が互いの方へ屈曲可能であって、衣類の１部に引っかかるU字形の器具を画定し、前記変換器が人の腹部と接触してそこで体温を測定することを特徴とする請求項２８記載の器具。
【発明の詳細な説明】
【技術分野】
【０００１】
本発明は、ある領域内の一群の人々の動きを追跡し、一群の中の１人がある健康状態を有することが検出されると、その人の位置が示されるようにする方法及びシステムに関する。
【背景技術】
【０００２】
重症急性呼吸器症候群（ＳＡＲＳ）は伝染病である。ＳＡＲＳに感染した疑いがある人々を、緊急に特定し、所在を確認し、隔離して、病気が他の人々に拡がることを阻止する必要がある。ＳＡＲＳの症状のうちの１つは発熱である。従って、人々の体温を観察して、彼らが熱が出るかどうか、即ち発熱しているかどうかについて判定することが重要になってきた。
【０００３】
該して、オフィスビルまたは病院といった建物を訪問している人々は、建物の入口で自分たちの体温を測ることが求められる。特定の人の体温が予め定められた閾値より上である場合、その人は建物に入ることを禁じられて、代わりに医者の診察を受けるよう要求されるかもしれない。このような１回だけの体温測定は理想的ではないかもしれない。
【発明の開示】
【発明が解決しようとする課題】
【０００４】
例えば、ある人は建物に入るときに、平熱であるかもしれない。しかしながら、その人は建物に入った後に熱を出すかもしれない。そして、その人がＳＡＲＳウイルスにかかっていて何時間も建物にとどまった場合、その人は建物内の他の人々にウイルスを感染させて病気をうつすことになりかねない。かかる状況は、ＳＡＲＳに感染した人々の大集団を生じて、重大な健康への脅威を引き起こすかもしれない。
【０００５】
１回だけの体温測定が理想的でないもう１つの理由は、誰もが全く同じ体温であるわけではないからである。人の平熱は、年齢、性別、最近の活性、食べ物及び水の消費、時刻、その他、さらに、女性については月経周期の段階、に依存して変化する。同様に、ある特定の時間の人の体温は、体の様々な部分で測ると変化する。平熱は、３６．５℃から３７．２℃までさまざまである。しかしながら、３７．８℃の閾値がしばしば用いられて、人に熱があるかどうかが判定される。人口の約５％は通常の範囲からはずれる体温を有していることは公知であるので、このような固定された閾値を用いることは理想的ではない。人に熱があるかどうかを測定する単一の固定された閾値を用いることは、その範囲の熱より高い体温を有する人々に熱があるという間違った診断を生じさせ、よってそれらの人々に不要な迷惑と苦痛を生じさせるだろう。より悪いことは、このような固定された閾値を用いることがその範囲内の熱より低い平熱がある人々の熱を検出することができないかもしれないということである。換言すれば、熱の本当の症例が検出可能でないかもしれない。
【課題を解決するための手段】
【０００６】
本発明の１つの態様によれば、少なくとも１人の人の少なくとも１つの生理的パラメータ及びある領域内での動きを捕捉して観察する方法が提供される。該方法は、該領域をそれぞれ場所識別子を有するセルに分割するステップと、各人に各人の少なくとも１つの生理的パラメータを測定する各自の器具を提供するステップを含む。該生理的パラメータがその人がある健康状態にあるかどうかを示す。各々の器具は器具識別子を有する。該方法は、各自の器具を用いて各人の生理的パラメータを少なくとも間欠的に測定して各測定に対する生理的パラメータ測定値を得るステップさらに含む。該方法はまた、該生理的パラメータが得られるセルのそれぞれの場所識別子及び時間によって、該生理的パラメータ測定値の選択された数の各々を少なくとも選択された数の該器具のそれぞれの器具識別子と関連させるステップ含む。該方法は、該関連する生理的パラメータ測定値、器具識別子、場所識別子及び時間を記憶するステップさらに含む。
【０００７】
該観察が遠隔場所から実施されてもよい。該方法は、次に、該関連する生理的パラメータ測定値、器具識別子、場所識別子及び時間を該遠隔場所に送信してそこで記憶させるステップを更に含んでもよい。
【０００８】
１つの実施例によれば、ある領域をセルに分割するステップは、建物の様々な場所にアクセスステーションを配置することを含む。アクセスステーションの各々は、場所識別子として機能するそれぞれのステーション識別子を有する。該器具が生理的パラメータ測定値を得ると、該器具はそれぞれの器具識別子とともに該測定値を送信する。該器具があるセル内にある場合、該セルのアクセスステーションは該測定値及び該器具識別子を受信して、それらをそれぞれのステーション識別子と関連させることができる。該アクセスステーションは、その次に、該関連する測定値、器具識別子、ステーション識別子を遠隔制御装置に送ってそこで記憶させる。該遠隔制御装置はさらに、該アクセスステーションから受信した該測定値、器具識別子及びステーション識別子と時間を関連させる。時間は、また、日付を含んでいてもよい。本発明の本実施例は、後に詳述される。
【０００９】
該方法は、該生理的パラメータ測定値を第１の予め定められた生理的パラメータ閾値と比較してその人が適切に前記装置を装着しているかどうか判定するステップをさらに含んでいてもよい。このような場合には、該方法は、その人が適切に器具を装着していないと判定される場合に、生理的パラメータ測定値と関連する該器具識別子及び該場所識別子を用いている人を識別して位置を示すステップを更に含んでいてもよい。
【００１０】
該方法は、また、該生理的パラメータ測定値を第２の予め定められた生理的パラメータ閾値と比較して、該人がある健康状態にあるかどうかを判定するステップをさらに含んでいてもよい。このような場合には、該方法は、前記人が前記健康状態にあると判定される場合に、該生理的パラメータ測定値に関連する該器具識別子及び該場所識別子を用いている人を識別して位置を示すステップを更に含む。第２の予め定められた生理的パラメータ閾値が、個々に予め定められてもよい。
【００１１】
該方法は、該人に対して個々に判定される生理的パラメータ修正要因によって該生理的パラメータ測定値を調整してから該調整された生理的パラメータ測定値を該第１または該第２の予め定められた生理的パラメータ閾値と比較するステップを含んでも良い。
【００１２】
該方法は、少なくとも１人の別の人のそれぞれの器具から測られる少なくとも１つの生理的パラメータ測定値に関連する時間及び場所識別子を該識別されて位置を示された人の該時間及び場所識別子と一致させるステップと、一致する場合に該他の人が該識別されて位置を示された人の物理的近傍にいたと識別するステップと、をさらに含んでもよい。
【００１３】
本発明の他の態様によれば、上記した実施例による方法を実施するシステムが提供される。該システムは、該領域内の空間的配置において提供される遠隔制御装置及び２以上のアクセスステーションを含む。かかる構成は、それによって該領域をそれぞれのセルに分割する。各々のアクセスステーションにはそれぞれのステーション識別子があり、該制御装置に接続されていて、第１の人に取付けられた少なくとも１つの生理的パラメータ測定器具から生理的パラメータ測定値及びそれぞれの器具識別子を受信するようになされる。該アクセスステーションは、そのステーション識別子とともに該受信された生理的パラメータ測定値及び該器具識別子を該制御装置に送信する。該関連する情報及び生理的パラメータ測定値が該器具によって取得される時間が該遠隔制御装置において第１の記録に記憶される。
【００１４】
該制御装置が用いられて、該生理的パラメータ測定値を第１の予め定められた生理的パラメータ閾値と比較して該第１の人が適切に該装置を装着しているかどうか判定してもよい。該制御装置がさらに用いられて、該生理的パラメータ測定値に関連する該器具識別子及び該場所識別子に対応する情報を提供し、該第１の人が該器具を適切に装着していないと判定される場合に該第１の人を識別して位置を示してもよい。
【００１５】
該制御装置がさらに用いられて、該生理的パラメータ測定値を第２の予め定められた閾値と比較して、該第１の人がある健康状態にあるかどうか判定してもよい。該制御装置がさらに用いられて、該生理的パラメータと関連する該器具識別子及び該場所識別子に対応する情報を提供し、該第１の人が該健康状態にあると判定される場合に該第１の人を識別して位置を示してもよい。該第２の予め定められた生理的パラメータ閾値が、該第１の人に対して個々に予め定められていてもよい。
【００１６】
該制御装置が用いられて、少なくとも１人の別の人の別のそれぞれの器具から得られる少なくとも１つの別の記録の時間及び場所識別子に前記第１の記録の時間及び場所識別子を一致させ、一致する場合に該他の人が該第１の人の物理的近傍にいるということを識別してもよい。
【００１７】
該生理的パラメータ測定値が調整されて、該生理的パラメータ測定値を第１か第２の生理的パラメータ閾値のいずれかと比較する前に、該第１の人に対して個々に判定される生理的パラメータ修正要因を含んでいてもよい。
【００１８】
該制御装置が用いられて、該器具を適切に装着していないことかまたは該健康状態にあることのいずれかを第１の人が判定される場合に警告メッセージを生成してもよい。該警告メッセージは、該ステーション識別子及び該器具識別子に対応する情報を含む。該警告メッセージは、制御装置が接続可能である通信ネットワークを介して予め定められた受取人に送信されてもよい。該通信ネットワークは、公共通信ネットワークであってもよい。
【００１９】
該制御装置がさらに用いられて、該器具識別子及びそれとともに測定された生理的パラメータ測定値を送信するように器具に指示してもよい。該制御装置は少なくとも１つの選択されたアクセスステーションを介して対応する指示を放送することによって器具に指示してもよい。そして、指示は少なくとも１つの選択されたアクセスステーションのサービスエリアの全ての器具によって受信可能である。
【００２０】
該システムは、該第１の人に取付けられて該第１の人の少なくとも１つの生理的パラメータを観察する少なくとも１つの生理的パラメータ測定器具をさらに含んでもよい。各々の器具は器具識別子を有して、それがセル内にある場合にセルのそれぞれのアクセスステーションに接続されている。
【００２１】
本発明の別の態様によれば、生理的パラメータ測定器具が提供される。該器具は、変換器、送信器及びプロセッサを含む。該プロセッサは該変換器及び該送信器に接続されている。該プロセッサが用いられて、測定値が少なくとも予め定められた閾値から逸脱していると判断される場合に、該変換器を制御して少なくとも間欠的に人の生理的パラメータを測定し、さらに該送信器を制御して測定された生理的パラメータに対応する測定値を送信する。
【００２２】
該器具が、プロセッサに接続された受信器をさらに含み、該プロセッサが受信器を介して送信するようにという指示を受信する場合に測定値が同様に送信されてもよい。
【００２３】
該器具は、第１の部分、第２の部分及び該第１の部分と第２の部分との間で接続される可撓性中間部分を含む筐体を更に含んでもよい。該器具は人の体温を測定する体温計であってもよい。該プロセッサ、該送信器及び該受信器が該第１の筐体部分に収容され、該変換器が該第２の筐体部分で支持されてもよい。
【００２４】
該第１及び第２の部分が互いの方へ屈曲可能であって、衣類の一部に引っかかるU字形の器具を画定し、該変換器が人の腹部と接触してそこで体温を測定してもよい。
【発明を実施するための形態】
【００２５】
本発明は、図面を参照してよりよく理解される。
【００２６】
以下に、本発明の好適な実施例が、建物の中で移動可能である人々の体温を観察するシステムという背景で説明される。しかしながら、本発明は、所定の領域内の一群の人々の、例えば、脈拍数、呼吸数、血圧及び血糖値などの他の生理的パラメータやまた心電図信号を観察する他の生理的パラメータ観察システムにおいて使用可能であるということが理解されるべきである。
【００２７】
図１は、本発明の１実施例による建物内の一群の人々の体温を常に観察するシステム２のブロック図である。システム２は遠隔制御装置４及び制御装置４に接続されている多数のアクセスステーション６を含む。制御装置４は、サーバコンピュータであってもよい。アクセスステーション６は、専用線ネットワークまたはローカルエリアネットワーク（ＬＡＮ）を介して制御装置４に接続されていてもよい。ネットワークは、有線ネットワークまたは無線ネットワークのいずれでもよい。無線ネットワークの例には、ＩＥＥＥ８０２．１１ｂ仕様書によるネットワークがある。システム２のそれぞれのアクセスステーション６には、固有のステーション識別子(ＩＤ)がある。
【００２８】
アクセスステーション６は、建物の様々な場所に及ぶように配置される。アクセスステーション６は、様々な場所のそれぞれの天井に設置されてもよい。それぞれのアクセスステーション６には動作範囲域があり、サービスエリアまたはセル８を範囲としよって画定する。それぞれのアクセスステーション６は、アクセスステーション６がネットワークに接続することを可能にする第１のインタフェース（図示せず）と、アクセスステーション６がそのセル８の範囲内にある１つ以上の体温検出器具または体温計１０と通信することを可能にする第２のインタフェース（図示せず）とを含む。第１のインタフェースは、ネットワーク種別に依存する。第２のインタフェースは、アクセスステーション６が同時に複数の体温計１０と通信することが可能である無線タイプの通信プロトコルをサポートするためであってもよい。通信プロトコルのかかる無線タイプの例は、既存のブルートゥース、ワイヤレスＬＡＮ、ＩＥＥＥ８０２．１１ｂプロトコルである。
【００２９】
あるいは、振幅変調、周波数変調、位相変調、拡散赤外線信号変調または赤外線信号変調を用いる自己定義された無線プロトコルもあり得る。例えば、ブルートゥースプロトコルを用いると、アクセスステーション６は同時に、多くて７台の体温計１０と通信することができる。かかるプロトコルを用いるアクセスステーション６は、アクセスステーション６の周囲に約半径１０メートルのサービスエリア８を有する。ブルートゥースの用語では、アクセスステーション６はマスター装置であり、体温計１０はスレーブ装置である。
【００３０】
各々の体温計１０は、送信されるデータとして測定された体温に対応する固有の器具識別子（ＩＤ）及び測定値を、少なくとも間欠的に送信するかまたは放送することが可能である。アクセスステーション６は、送信されるデータを取り出すか受信し、データにそのステーションＩＤを追加して制御装置４に転送されるデータパケットを形成することが可能である。各々のアクセスステーション６及びそのサービスエリア８の範囲内の体温計１０は、ピコネット（piconet）を形成すると考えられてもよい。体温計１０は、第１のセル８から第２のセル８へと移動する場合に、体温計の送信されるデータが第１のセル８のアクセスステーション６によって受信され、次に第２のセル８の別のアクセスステーション６によって受信される。第２のセル８のアクセスステーション６は、次に制御装置４に別のデータパケットを送出する。このように、人が建物内で動き回るにつれて、体温計１０の送信を受信するアクセスステーションのステーションＩＤに基づいて、体温計１０の場所が追跡されてもよい。
【００３１】
制御装置４において、それぞれの受信データパケットが図２Ａに示したような体温情報表１２の記録として記憶される。器具ＩＤ、ステーションＩＤ及び体温測定値に加えて、パケットが受信される時間も記録１４に含まれる。時間には、また、日付が含まれてもよい。かかる体温情報表１２が、図２Ａに示されている。体温情報表１２は、制御装置４において、例えばハードディスク、フロッピー（登録商標）・ディスク、テープなどのいかなる記憶装置（図示せず）で記憶されてもよい。制御装置４は、ソフトウェアアプリケーションを用いてこれらの記録を処理し、分析し、体系化し、示すことが可能である。その例は後述される。
【００３２】
次に、体温計１０がより詳細に説明される。体温計１０の各々は、図３Ａに示すような温度センサ２０及びプロセッサ２４に接続されたワイヤレス通信モジュール２２を含む。通信モジュール２２は、送信器（図示せず）またはトランシーバ（図示せず）を含んでもよい。トランシーバは送信器及び受信機を含む。各々の体温計１０も、プロセッサによって読み込み可能な器具ＩＤを含む。器具ＩＤは、体温計１０において配線で接続されていてもよいしまたはその中にプログラムされていてもよい。体温計１０は、ディスプレイ（図示せず）を含んでいてもよいし含んでいなくてもよい。ディスプレイのない体温計１０はより小さくて、よって人の体に装着するのにより快適であるだろう。ディスプレイのないこのような体温計に対して、体温測定値は、人によって持ち運ばれるブルートゥース使用可能な携帯電話またはＰＤＡに送信されてそこで表示してもよい。あるいは、制御装置４が体温計１０によって送信されるデータパケットを受信するときに、測定値が制御装置４のディスプレイスクリーン（図示せず）上に単に表示されてもよい。
【００３３】
温度センサ２０は、対応する電気信号に体温を変換することができる任意の変換器である。かかる変換器の例にはサーミスタアセンブリがある。プロセッサ２４は、電気信号を体温測定値に変換する関連するソフトウェア（図示せず）を有する内蔵アナログ‐ディジタル(Ａ／Ｄ)コンバータを含む。プロセッサ２４の制御または命令の下で、ワイヤレス通信モジュール２２は、データパケット内の体温測定値及びその器具ＩＤを送信することができる。体温計１０は、少なくとも間欠的に体温を測定して、体温測定値を送信する。言い換えると、断続的な間隔でまたは周期的な間隔で、体温計は連続的にデータを送信することができる。いくつかの実施例では、体温計１０は例えば１０秒毎の周期的に体温を測定して、体温測定値を送信する。
【００３４】
図３Ｂは体温計１０の筐体２５の平面図を示す。図３Ｃ及び３Ｄは、体温計１０の筐体２５の側面図であり、それぞれまっすぐな位置及び曲がった位置で示される。筐体２５は、プロセッサ２４及びワイヤレス通信モジュール２２を収容する第１の本体部分２６を有する。筐体２５は、温度センサ２０を支持する第２の測温部分２８有する。測温部分２８は、可撓性中間部分３０を介して本体部分２６に接続されていて、体温計１０が可撓性中間部分３０で折れ曲がることを可能にする。可撓性中間の部分３０は、例えば熱可塑性ゴムなどの弾力材であって、測温部分２８が本体部分２６の方へ折れ曲がってＵ字形を形成することを可能にしてもよい。体温計１０のこの位置において、温度センサ２０は外側へ面している。
【００３５】
人の腹部で温度を測定するための用いる間、例えば硬質プラスチックなどの硬質材料でできているホルダ３２は、体温計１０を支持するために提供される。図３Ｅは、ホルダ３２の図である。ホルダ３２は、２枚のパネル３６を有するクリップ３４を含む。ポケット４０を画定して体温計１０の本体部分２６を受ける２つの突出部材３８が、クリップ３４の１枚のパネル３６上にある。体温計１０が曲げられて、ホルダ３２に置かれる場合に、所定の位置の温度感知端２８を受けて保持する留め金（図示せず）がクリップのもう１枚のパネル３６の上にある。クリップ３４が、１着のパンツのウエスト部分に取付けられて温度センサ２０が人の腹部と接触するようになることが便利である。この位置において、体温計の本体部分２６が、人から見て外方に向く。
【００３６】
建物内で一群の人々の動きを追跡して体温を観察する建物内で用いて、発熱などの健康状態にあることが検出された人の位置を示すようにするシステム２の配置が、図４を用いて次に説明される。図４は、主手順５０のステップからなるフローチャートを示す。主手順５０は「開始」ステップ５２において開始され、「領域を分割する」ステップ５４へ進む。そこで、アクセスステーション６が建物の様々な場所に配置される。セル８を画定するそれぞれのアクセスステーション６を用いて、このような配置が識別可能なセル８に建物を分割することに役立つ。オペレータは、それぞれのアクセスステーション６が図２Ｂに示すようなステーション場所表５８内の記録５６として配置される場所に入る。各々の記録５６は、このようにステーションＩＤフィールド及び場所フィールドの２つのフィールドを含む。アクセスステーション６のステーションＩＤは、セル８の場所ＩＤとして役立つ。
【００３７】
主手順５０が次に「体温計を支給する」ステップ６０へ進み、そこで建物の入口に到着している各々の人が体温計１０を提供されるかまたは支給される。器具ＩＤ、体温計１０を支給された人の名前及び接触の詳細が、図２Ｃに示す氏名表６４に記録６２として入力される。この氏名表６４の各々の記録６２は、従って、器具ＩＤフィールド、氏名フィールド及び接触詳細フィールドを含む。人は、体温が体温計１０を用いて少なくとも間欠的に測られるように、支給された体温計１０を装着させられる。
【００３８】
主手順５０は次に「体温を測って送信する」ステップ６６へ進む。そこで、体温計１０は少なくとも間欠的にその人の体温を測定して、その器具ＩＤとともに体温に対応する測定値を送信する。
【００３９】
体温計１０を装着している人が入口に隣接してセル８に入ると、主手順５０は次に「受信し転送する」ステップ６８へ進む。セル８を範囲とするアクセスステーション６は、体温計１０の送信データを受信する。上記したように、次にアクセスステーション６は、制御装置４にデータパケットにおいてその位置ＩＤとともにデータを転送する。このような方法で、読出及び器具ＩＤは位置ＩＤと関連づけられる。
【００４０】
制御装置４がアクセスステーション６によって転送されたデータパケットを受信すると、主手順５０は次に「情報を処理する」ステップ７０へ進む。データパケットで得られる情報を用いて、制御装置４がセルレベルで建物内でその人の位置を知ることができる。
【００４１】
制御装置４において情報が処理される方法の詳細が次に説明される。「情報を処理する」ステップ７０に入るとすぐ主手順５０は、「体温測定値が低い？」判定ステップ７２に進む。そこで制御装置４は、データパケットの体温測定値が低閾値未満であるかどうかについて判定する。体温測定値が低閾値未満であると判定される場合、主手順５０は「警告メッセージを生成する」ステップ７４へ進む。そこで、制御装置４は様々な表１２、５８、６４から集められる情報に基づいて、第１の警告メッセージを生成する。制御装置４は、制御装置４のディスプレイスクリーン上に第１の警告メッセージを表示する。制御装置４は、また、例えば公衆ページングまたは移動通信ネットワーク（図示せず）などの通信ネットワークを介して、例えばオペレータなどの選択された受取人に、第１の警告メッセージを送出してもよい。
【００４２】
「体温測定値が低い？」判定ステップ７２が用いられて、体温計１０が適切に人に装着されているかどうか検出してもよい。この場合、低閾値が、例えば３６．５から３７．２℃の平熱の範囲より低い３２℃の体温に設定されてもよい。体温計１０が適切に装着されていないかまたは人から取り除かれるようになる場合に、体温測定値が低閾値未満になるだろう。このような状態に対して、第１の警告メッセージが、例えば、「使用法の警告：Ａ氏の体温は、２００３年４月２日、午後１：２５に３１．９℃である。彼は会議室Ｂにいる。」であってもよい。または、単に「使用法の警告：会議室ＢにいるＡ氏は適切に自分の体温計を装着していないかもしれない。」であってもよい。かかるメッセージを受信するオペレータは、次にＡ氏に接近して、彼が自分の体温計を適切に装着していることを調べて確実にしてもよい。主手順５０は次に、すぐに説明する「記録を入力する」ステップ７６に進む。
【００４３】
「体温測定値が低い？」判定ステップ７２で、体温測定値が閾値未満でないと判定される場合、主手順５０は「体温測定値が高い？」判定ステップ７８に進む。そこで制御装置４が体温計１０を高閾値と比較して、体温測定値が高閾値より上かどうかを判定する。高閾値は、３８℃に設定されてもよい。体温測定値が高閾値値を上回ると判定される場合、主手順５０は再び「警告メッセージを生成する」ステップ７４に進む。ステップ７４では、制御装置４が、セル８が建物の入口に隣接しているということをステーションＩＤから認識して、入り口に駐在している保安要員に第２の警告メッセージを送出して、体温計１０を装着している人が許容可能体温より高い体温を有しているということを示す。この第２の警告メッセージは、「入館を拒否する：Ａ氏は３８．５℃の体温を有している」であってもよい。保安要員は、例えば医者によってより完全に診察されるべき人に対して、離れてその人に付き添うことによって第２の警告メッセージに応答してもよい。
【００４４】
体温計１０の体温測定値が高い閾値と等しいかそれより低いということが「体温測定値が高い？」判定ステップ７８において判定される場合、制御装置４は警備員に警告メッセージを送出しない。主手順５０は次に「記録を入力する」ステップ７６へ進む。そこで、制御装置４は受信したデータパケットから体温情報表１２の記録を生成する。制御装置４は、データパケットの制御装置４による受信時間を用いて記録の時間フィールドを更新して、時間を記録１４の他のフィールドと関連させる。即ち、体温情報表の各々の記録は、器具ＩＤ、体温測定値、ステーションＩＤ及び時間情報を含む。このようにして、制御装置４は記録内でデータパケットを捕捉する。
【００４５】
ステップ７２、７８によって判定されるように、第２の警告メッセージが入口で保安要員によって受信されない場合、人は建物に入って、移動することが許される。体温計１０は、少なくとも間欠的に体温測定値及びその器具ＩＤを送信する。アクセスステーション６のうちの１つによって受信される体温計１０のそれぞれの送信に対して、主手順５０は、「測って送信する」ステップ６６、「受信して転送する」ステップ６８及び「情報を処理する」ステップ７０をループする。時間とともに、制御装置４は各々の体温計１０に対して体温情報表１２内に多数の記録を生成する。このようにしてこれらの記録が中心位置で利用できる。
【００４６】
建物内の会議室Ｂへ移動している人の１つのシナリオを次に説明する。会議室Ｂにいる間に人の体温が３８．１℃に上昇するということを想定せよ。会議室Ｂを範囲とするアクセスステーション６が、上記したように人の体温計１０の温度測定値及び器具ＩＤを受信して制御装置４にそれを転送する。制御装置４は、その人の体温が「体温測定値が高い？」判定ステップ７８における高閾値より上にあることを検出する。次に、制御装置４は、表１２、５８、６４から得られるデータから、例えば「発熱警告：Ａ氏は２００３年４月2日、午後１：２５に体温が３８．１℃である。彼は会議室Ｂにいる。」などの第３の警告メッセージを生成する。第１の警告メッセージと同様に、第３の警告メッセージがディスプレイスクリーンに表示され、かつ／またはオペレータに送出されてもよい。この第３の警告メッセージを受信するとすぐオペレータは、保安要員またはヘルスケア要員が会議室Bを行くように知らせて指定エリアまでＡ氏に付き添って、彼を隔離してもよい。このように、熱のある人が識別されて位置が示されてもよい。
【００４７】
「記録を入力する」ステップ７６の後に、主手順５０は、「接触探知が起動される？」判定ステップ８０に進み、そこで制御装置４は、オペレータが接触探知アプリケーションまたは機能を開始したかどうかについて判定する。制御装置４によって受信された体温計測定値が高閾値を上回ったとみなされる場合に、この接触探知アプリケーションが自動的に起動されてもよい。あるいは、オペレータが選択した記録について機能を起動してもよい。接触探知機能が起動されるとこのステップ８０において判定される場合、主手順５０は「接触探知を実施する」ステップ８２へ進む。そこで、制御装置８は図５で示すような接触探知手順８４に従って接触探知を実施する。
【００４８】
接触探知手順８４が、次に図５を用いて説明される。接触探知手順８４は「開始」ステップ８６で開始される。そこで、制御装置４は、ある期間にわたって集められた体温情報表１２の中の記録を抽出する。期間は、過去１０日であってもよい。接触探知手順８４は次に「記録を読み込む」ステップ８８へ進む。そこで、制御装置４が抽出された記録から１つの記録を読み込む。接触探知手順８４は、次に「ＩＤが一致する？」判定ステップ９０へ進む。そこで、制御装置４は、読み込まれた記録の器具ＩＤが選択された記録の器具ＩＤに等しいかどうかについて判定する。２つ記録のＩＤが一致すると判定される場合、接触探知手順８４は「追加の記録が利用可能？」判定ステップ９２へ進む。「ＩＤが一致する？」判定ステップ９０において、読み込まれた記録の器具ＩＤが選択された記録の器具ＩＤと等しくないと判定される場合、接触探知手順８４は「近くのＩＤ？」判定ステップ９４に進む。そこで制御装置４は、読み込まれた記録の器具ＩＤを有する体温計１０がまたは選択された記録の器具ＩＤを有する体温計１０の付近または物理的近接にあるかどうかを判定する。１実施例において、読み込まれた記録が同じステーションＩＤ及び選択された記録とほぼ同じ時間である場合に、読み込まれた記録の器具ＩＤを有する体温計１０が選択された記録内の器具ＩＤを有する体温計１０の付近にあると考えられる。もう１つの実施例では、読み込まれた記録が同じ位置ＩＤ及び選択された記録と同じ器具ＩＤを有するすべての抽出された記録のいずれか１つとほぼ同じ時間を有する場合に、読み込まれた記録の器具ＩＤを有する体温計１０が、選択された記録の器具ＩＤを有する体温計１０の付近にあると考えられる。
【００４９】
この「近くのＩＤ？」判定ステップ９４では、読み込まれた記録が得られる体温計１０は選択された記録の器具ＩＤを有する体温計１０の物理的近傍にないということが判定される場合、接触探知シークエンス８４は「追加の記録が利用可能？」判定ステップ９２に進む。２台の体温計が同じ近傍にあったと判定される場合、接触探知手順８４は「記録をつける」ステップ９６に進む。そこで、制御装置４は接触探知表（図示せず）に読み込まれた記録をつける。接触探知手順８４は、次に、「追加の記録が利用可能？」判定ステップ９２に進む。そこで制御装置４は、抽出された記録の中に読み込まれるべき更なる記録がまだあるかどうかを判定する。処理されるべき追加の記録があると判定される場合、接触探知手順８４は「記録を読み出す」ステップ８８に戻る。一方、接触探知手順８４は、「終了」ステップ９８で終わる。
【００５０】
制御装置４は、接触記録表の中の記録、より具体的には記録の中の器具ＩＤを用いて、氏名表６４にアクセスして接触探知リスト（図示せず）を生成する。選択された記録が、上記で説明した第３の警告メッセージの生成を生じさせるように処理されるものである場合に、接触探知リストはまたディスプレイスクリーン上で、「探知された接触：Ｃ氏が２００３年４月2日午後１：２５に会議室ＢにてＡ氏と一緒だった」などのメッセージとして表示されてもよい。メッセージを読むオペレータは、次にそれに応じて、隔離命令でその氏名が接触探知リストに現れる人々に接触するかまたは扱うように行動してもよい。
【００５１】
上記のシステム２では、体温計１０がアクセスステーション６によって取得されるデータが間欠的にまたは周期的に送信されることが説明されている。特に無線周波数伝送を含んでいるかかる断続的または周期的なデータ送信は、有効な電池を消費して短期間で電池を使い果たすかもしれない。従って、体温計１０によってかかる送信数を最小にして電池を節約することが望ましい。
【００５２】
送信数を最小にする１つの方法が、それぞれ制御装置４及び体温計１０において実施される主手順１１０及び従属手順１１２を示す、図６Ａ及び６Ｂのフローチャートを用いて説明される。
【００５３】
体温計１０の従属手順１１２は、体温測定値が取得される「開始」ステップ１１４において開始される。次に従属手順１１２は、「測定値を送信する？」判定ステップ１１６へ進む。そこでプロセッサ２４が、制御装置４からの測定値送信指示が体温計１０によって前に受信されているかどうかについて判定する。測定値送信指示が受信されていると判定される場合、従属手順１１２は「データを送信する」ステップ１１８へ進み、そこで、体温計１０が上記に説明したようにデータを送信する。
【００５４】
しかしながら、測定値送信指示が受信されていないと判定される場合、従属手順１１２は、「体温測値が高い？」判定ステップ１２０へ進む。そこでプロセッサ２４が体温測定値を送信閾値と比較する。体温測定値が送信閾値を上回ると判定される場合、従属手順は「データを送信する」ステップ１１８へ進み、上記の通りにデータを送信する。「データを送信する」ステップ１１８の後に、従属手順１１２は、「終了」ステップ１２２で終了する。体温測定値が送信閾値と等しいかまたはそれより低いと判定される場合、従属手順１１２は任意のデータを送信している体温計１０を用いずに「終了」ステップ１２２へ進む。かかる一連の動作を用いて、人が熱を出す疑いがある、即ち熱がある場合にだけ、体温計１０はデータを送信する。送信閾値は高閾値に等しいかまたはそれ未満であるように設定されてもよい。簡単にするために、送信閾値を、全ての人々に対して固定値に設定してもよい。例えば、高閾値が３８℃に設定される場合、送信閾値は３７．５℃に設定されてもよい。
【００５５】
制御装置４の対応する主手順１１０が次に説明される。主手順は「開始」ステップ１２４において開始される。そこで、制御装置４が上記の通りにアクセスステーション６から体温測定値、器具ＩＤ及びステーションＩＤを受信する。次に主手順１１０は、「体温測定値が高い？」ステップ１２６へ進む。そこで制御装置４は、体温測定値を送信閾値と比較する。体温測定値が送信測定値を上回らないと判定される場合、主手順１１０は「終了」ステップ１２８で終了する。
【００５６】
しかしながら、「体温測定値が高い？」判定ステップ１２６において、体温測定値が送信閾値を越えると判定される場合、主手順１１０は「測定値送信指示を出す」ステップ１３０に進む。そこで制御装置４は、体温測定値が受信されるアクセスステーション６に、そのセル８において体温計１０によって受信可能である測定値送信指示を放送する。あるいは、制御装置４は、他のアクセスステーション６または全てのアクセスステーション６に測定値送信指示を送信するように指示してもよい。主手順１１０は、次に終了ステップ１２８へ進む。このように、セル８にある体温計１０が、送信測定値指示を受信してデータを送信することが可能である。
【００５７】
次にシナリオを説明して、主手順１１０及び従属手順１１２の動作を詳述する。Ａ氏が会議室ＢでＸ氏、Ｙさん及びＺ氏と一緒にいると仮定する。午後１時に、彼らの体温はすべて、３７．５℃に設定された送信閾値より低い。従って、会議室Ｂの彼らの体温計１０及びアクセスステーション６は、いかなるデータも送信しない。次に午後１：２５に、Ａ氏の体温が３７．５℃の送信閾値より高い３７．６℃であると彼の体温計１０で検出される。Ａ氏の体温計１０はそのとき従属手順１１２に従って、体温測定値及びその器具ＩＤを含むデータを送信する。アクセスステーション６は、上記の通りに送信を取り出して制御装置４にステーションＩＤとともに送信データを転送する。主手順１１０に従って、制御装置４は、Ａ氏の体温が送信閾値より上であることを検出して、会議室Ｂを範囲とする１つ以上のアクセスステーション６に測定値送信指示を送出する。会議室ＢにいるＸ氏、Ｙさん及びＺ氏の体温計１０が測定値送信指示を受信して、それらはそれぞれの体温測定値及び器具ＩＤを送信し始める。１つ以上のアクセスステーション６がこれらの送信を受信して、制御装置４に転送する。これら送信データを用いて、制御装置４は、Ａ氏の体温が送信閾値を超えると検出されたときに、Ａ氏の付近または物理的近傍に誰がいるかを示すデータを捕捉することができる。
【００５８】
システム２が単に、熱を出すと疑われる、即ち熱があるか、または、適切に自分の体温計１０を装着していない人の位置を示す場合、上記に説明した主手順１１０及び従属手順１１２は必要ではない。かかる場合、体温測定値を得た後で体温計がそれをＴＨ１閾値及びＴＨ２閾値と比較する。体温測定値がＴＨ１閾値より高いかまたはＴＨ２閾値未満であると判定される場合、体温計１０がデータを送信して制御装置４が待機態勢を取る。一方、体温計１０はいかなるデータも送信しない。ＴＨ１閾値は３８℃の高閾値と同じであってもよいし、ＴＨ２閾値は３２℃の低閾値と同じであってもよい。
【００５９】
上記のシステム２の別の態様は改良されていてもよい。この態様は人の腹部から得る体温測定値の精度に関する。口腔で、即ち人の舌下に体温計１０の測温端部２８を置くことによって測定される体温が、人の中核体温の合理的に正確な指標を与えるということは公知である。しかしながら、口腔方法は連続的な体温観察に適当でない。なんとなれば、長い期間口の中に体温計１０を入れさせることは不快であり不便であるからである。例えば腋の下、腹部または手首などの、連続的な体温観察についてより快適であり便利である人体の特定部位がある。しかしながら、これらの体の部分からの測定は、通常、中核体温を反映する測定値を与えない。これらの部分から測定される体温は、口腔から測定される体温よりかなり低い（例えば、０．５から３℃）かもしれない。１つ常套手段は、体の一部から得られる測定された体温に、人口から得る平均値である修正要因を加えることである。例えば、０．５℃の修正要因が３６．５℃の腋の下で測定された体温に加えられて、実際の中核体温により近い３７℃の体温測定値を与えてもよい。腋の下及び口腔で測られる体温の差が人と人とで変化するので、単一の共通修正要因を用いることによって中核体温の正確な判定が生じないかもしれない。よって、各個人に対して体温修正要因を判定することが望ましい。
【００６０】
図７は、人に支給された体温計１０における使用についての修正要因を得る較正手順１３２のフローチャートを示す。較正手順１３２は、例えば体温計１０のボタン（図示せず）を押している人によって体温計１０の較正モードが起動されると、「開始」ステップ１３４において開始される。較正手順１３２は次に、「口腔体温を測る」ステップ１３６へ進む。そこで、体温計１０は、測られるべき口腔体温のために自分の口の舌下に体温計１０を置くように指示する。指示は、点等されたＬＥＤ（図示せず）の形であってもよい。体温計１０が可聴式または可視のいずれかの警告信号を生成して、口腔体温が測られることを示し、測られるべき腹部体温ついて自分の腹部に体温計１０を置くように人に促してもよい。次に人はホルダ３２へ体温計１０を入れて、上記の通りにホルダ３２を自分のパンツにとめる。この点で、較正手順１３２は、「腹部体温を測る」ステップ１３８へ進み、そこで、体温計１０は腹部体温を測定する。次に較正手順１３２は、「修正要因を計算する」ステップ１４０へ進み、そこで、体温計１０は口腔体温及び腹部体温に基づいて修正要因を計算する。修正要因は、単に口腔温度と腹部温度との差であってもよい。修正要因は、体温計１０に記憶される。
【００６１】
較正手順１３２は「終了」ステップ１４２で終了し、そこで、体温計１０は較正モードを終了して、体温観察モードへ切り替わる。体温観察モードにおいて、体温測定値を得た後で体温計１０が、それを送信する前に修正要因を例えば加えることによってなどの含むことによってそれを調整する。このように、送信される調整された体温測定値は、人の中核体温により近い。人が建物の入口で体温計１０を支給されるときに、または人が最初に熱がないと判定された後に建物内への入館を許可されるときに、かかる較正手順１３２が実施されてもよい。
【００６２】
システム２の更なる態様は、改良されてもよい。この更なる態様は、人に熱があるかどうかを判定するために用いられる高閾値に関係する。システム２が上記に説明されて、全ての人々に対する単一の共通の高閾値を有する。平熱が人と人とで異なるので、各個々人に対して高閾値を判定することが望ましいかもしれない。
【００６３】
人の高閾値を判定する１つの方法は、その人の最近得られた体温測定値を用いている高閾値を統計学的に計算することによってである。これらの最も最近測定された体温測定値が体温計１０または制御装置４のいずれかに記憶されてもよい。
【００６４】
人に対する高い閾値を統計学的に計算する体温計１０において閾値判定手順１５０が、図８を用いて次に説明される。閾値判定手順１５０は、「開始」ステップ１５２において開始される。そのとき、人は体温計１０上のボタン（図示せず）を押して、次に体温計１０を装着する。方法は「周期的測定」ステップ１５４へ進み、そこで、例えば１０秒毎といった周期的に、体温計１０が人の体温測定値を測って記憶する。次に手順１５０は、「十分なデータが収集された？」判定ステップ１５６へ進む。そこで体温計１０は、体温測定値数が予め定められた数に達したかどうかを判定する。ステップ１５６において、体温測定値数が予め定められた数より少ないと判定される場合、手順１５０は、測られた測定値数が、例えば１００の測定値などの予め定められた数に達するのを待っている「十分なデータが収集された？」判定ステップ１５６の周りをループする。測定値数が予め定められた数に達すると、手順１５０は「十分なデータが収集された？」判定ステップ１５６を終了して、「高閾値を計算する」ステップ１５８へ進む。このステップ１５８では、体温計１０のプロセッサ２４が次の式を用いて人の高閾値を計算してもよい。
【００６５】
高閾値＝μ＋ｋσ
ここで、μは平均値であり、σは測定値の予め定められた数の標準偏差であり、ｋは正の数である。
【００６６】
収集された体温測定値は通常分布していて、ｋ＝３である場合、体温測定値の９９．９％は次に上記の式によって計算される高い閾値より低いだろう。
【００６７】
あるいは、高閾値が単に体温測定値の最大値の合計であって例えば０．５℃のマージン値であるように設定されてもよい。例として、体温測定値の予め定められた数の最大値は３７．５℃であり、得られる高閾値は３８℃になる。単一の体温測定値が同様に用いられて高閾値を判定してもよい。
【００６８】
高閾値はオペレータによって制御装置４に入力されてもよいし、または、指定されたデータパケットを用いてアクセスステーション６を介して制御装置４に送信されてもよい。制御装置４が体温計１０からかかる高閾値を受け取る場合、制御装置４が、主手順５０の「体温測定値が高い？」判定ステップ７８におけるさらなる比較のためにこの高閾値を用いる。そうでなければ、制御装置４は、制御装置４において利用できる既定値の共通の高閾値を単に用いる。閾値判定シーケンス１５０は、終了ステップ１６０で終わる。
【００６９】
説明したばかりの高閾値を判定する方法が、例えば低閾値、送信閾値、ＴＨ１及びＴＨ２閾値などの、他の上記した閾値を判定するために同様に適用可能であるということに注意が必要である。
【００７０】
高閾値を判定する方法が体温計１０の代わりに制御装置４で実施されてもよいとういことにも注意されるべきである。このような場合に、高閾値は、その測定値が制御装置４によって捕捉される全ての体温計１０から受信される体温測定値に基づいて判定される単一の共通の高閾値であってもよい。
【００７１】
本発明は上記した実施例において実施されるように説明されるが、このように制限されて解釈されるべきでない。例えば、システムが多数のアクセスステーション６を含むことは必要でない。単一のアクセスステーション６だけを含むシステムも同様に機能する。このような場合、アクセスステーション６は、制御装置４と統合されてもよい。即ち、アクセスステーション６は、物理的な通信リンクを介してよりはむしろ内部バスを介して制御装置４と通信する。かかるシステムは、例えば建物、局、病院への入口、並びに空港の出入国管理チェックポイントまたは国境検問所などで配備されてもよい。そのように配備される場合、システムは人々の位置を探知するよりはむしろこれらのチェックポイントを通過する人々の体温を単に「走査する」ために用いられる。これらのチェックポイントのうちの１つを通過する人は、上記したような体温計を用いて自分の体温を測られることが要求される。体温計の測定値は、アクセスステーションに送信される。制御装置は、アクセスステーションを介して体温測定値を順番に受信する。測定値が予め定められた高閾値より上にあると制御装置によって判定される場合、人は入国を拒否されて、例えばその人を医者に診察させて隔離下におくといった治療上の措置がとられてもよい。
【００７２】
別の実施例として、家庭で用いるためのシステムが、制御装置としてブルートゥースを利用可能な携帯電話またはパーソナルデジタル携帯情報機器（ＰＤＡ）を含んでもよい。このような場合には、ブルートゥース・リピータがアクセスステーションとしてもちいられてもよい。ブルートゥース・リピータは、ブルートゥース・リピータが受信する信号を単に再送する器具である。かかるシステムの体温計は、ブルートゥーストランシーバを含む。
【００７３】
また別の例として、体温計が、体温計について起動されてもよい非常ボタンを更に含み、体温計の器具ＩＤを含む医学的注意に対する非常事態要請を送信してもよい。体温計の近くのアクセスステーションは、送信された非常事態要請を受信して制御装置にそのステーションＩＤと共にそれを転送する。制御装置は非常事態要請を受信するとすぐ、ディスプレイスクリーン上にメッセージを表示する。メッセージは、「警告：会議室ＢにいるＡ氏は、即座の配慮が必要である。２００３年４月２日、午後１：２５にメッセージが記録された。」であってもよい。そのときオペレータは、ヘルスケア要員を直ちに召集してＡ氏の世話をさせることができる。
【００７４】
また別の実施例として、体温計が、固有の器具ＩＤを含み、セキュリティアクセス器具としても倍加する。例えば、体温計を携帯する人が保安エリアへの入口に近づくと、入口のアクセスステーションが器具ＩＤを認証し、よってその人に接近を許すかまたは許さない。
【００７５】
さらにまた別の例として、領域をセルへ分割することは、建物のいくつかの場所の各々に送信器を配置することを含んでもよい。各々の送信器が用いられてビーコンとしてそれぞれの場所識別子を送信する。各々の器具がある場所へと移動するときに、器具は送信された場所識別子を受信して、測定値及び器具を用いて測定値が得られる時間をそれに関連させることができる。測定値が得られるたびに、関連する測定値、時間及び場所識別子が器具によって遠隔場所に送信されてもよい。あるいは、器具識別子とともに、関連する測定値、時間及び場所識別子が、器具に記憶されて後の時間に遠隔位置でにアップロードされてもよい。後者の実施は、ある健康状態にある人の即時の検出、識別及び場所を可能しないにもかかわらず、集められて器具に記憶されたデータは、人が該健康状態を有しているまさにそのときにその人の物理的近接にいた人々がその後識別されることを可能にする。データはまた、人が該健康状態を有しているとその後検出される前のある選択された期間その人と物理的近傍にいた人々を識別するために用いられてもよい。場所識別子は、また、建物の各々の場所でタグに記録される情報であってもよい。かかる場合において、体温計はタグを読むために用いられてもよい。体温計が上記したようなセキュリティアクセス器具として用いられる場合、それが各々の場所に接近するために用いられると、場所識別子が体温計に送信されてもよい。
【図面の簡単な説明】
【００７６】
【図１】本発明の実施例による、少なくとも１人の人の少なくとも１つの生理的パラメータ及びある領域内での動きを捕捉し、制御装置に接続された多数のアクセスステーションを含んでいるシステムの概略図である。
【図２Ａ】図１の制御装置に記憶される記録表を示す図である。
【図２Ｂ】図１の制御装置に記憶される別の記録表を示す図である。
【図２Ｃ】図１の制御装置に記憶されるまた別の記録表を示す図である。
【図３Ａ】図１のアクセスステーションがそのデータ送信を受信することができる体温計のブロック図を示す概略図である。
【図３Ｂ】図３Ａの体温計用筐体の平面図を示す図である。
【図３Ｃ】図３Ａの筐体の側面図を示す図である。
【図３Ｄ】図３Ａの筐体の別の側面図を示す図である。
【図３Ｅ】図３Ｂ、３Ｃ及び３Ｄに示される体温計用ホルダーの等角投影図である。
【図４】図１のシステムを作動するステップの主手順を示すフローチャートである。
【図５】図１の制御装置において実施する接触探知手順を示すフローチャートである。
【図６Ａ】体温計のデータ送信を減らすために制御装置において実施される手順示すフローチャートである。
【図６Ｂ】体温計のデータ送信を減らすために体温計において実行される手順を示すフローチャートである。
【図７】体恩修正要因を判定する手順を示すフローチャートである。
【図８】ある人についての個々の閾値を判定する手順を示すフローチャートである。
【図１】
2007521030.tif 000003
2007521030.tif 000004
2007521030.tif 000005
【図４】
2007521030.tif 000006
【図５】
2007521030.tif 000007
2007521030.tif 000008
【図７】
2007521030.tif 000009
【図８】
2007521030.tif 000010
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
少なくとも1人の人の少なくとも１つの生理的パラメータ及びある領域内での動きを捕捉して観察するシステムであって、
遠隔制御装置と、
前記領域内で空間的配置において設けられて前記領域をそれぞれのセルに分割し、さらに、各々がそれぞれステーション識別子を有し、前記制御装置に接続されて、第１の人に取付けられた少なくとも１つの生理的パラメータ測定器具から生理的パラメータ測定値及びそれぞれの器具識別子を受信し、前記受信した生理的パラメータ測定値及び前記器具識別子をそのステーション識別子とともに前記制御装置に送信するように用いられることを特徴とする複数のアクセスステーションと、
前記生理的パラメータ測定値、前記器具識別子、前記ステーション識別子及び前記生理的パラメータ測定値が前記器具によって取得された時間が、前記制御装置において第１の記録に記憶され、
前記制御装置が用いられて、少なくとも１人のその他の人の別の各自の器具から得られる少なくとも別の記録の日付、時間及び場所識別子を前記第1の記録の日付、時間及び場所識別子と一致させて、一致があれば少なくとも1人のその他の人が前記第１の人の物理的近傍にいるということを識別することを特徴とするシステム。
【請求項２】
前記制御装置が用いられて、前記生理的パラメータ測定値を第１の予め定められた生理的パラメータ閾値と比較して前記第１の人が適切に前記装置を装着しているかどうか判定することを特徴とする請求項１０記載のシステム。
【請求項３】
前記制御装置がさらに用いられて、前記生理的パラメータ測定値に関連する前記器具識別子及び前記場所識別子に対応する情報を提供し、前記第１の人が前記器具を適切に装着していないと判定される場合に前記第１の人を識別して位置を示すことを特徴とする請求項１１記載のシステム。
【請求項４】
前記制御装置が用いられて、前記生理的パラメータ測定値を第２の予め定められた閾値と比較して、前記第１の人がある健康状態にあるかどうか判定することを特徴とする請求項１０乃至１２記載のシステム。
【請求項５】
前記制御装置がさらに用いられて、前記生理的パラメータと関連する前記器具識別子及び前記場所識別子に対応する情報を提供し、前記第１の人が前記健康状態にあると判定される場合に前記第１の人を識別して位置を示すことを特徴とする請求項１３記載のシステム。
【請求項６】
前記第２の予め定められた生理的パラメータ閾値が、前記第１の人に対して個々に予め定められていることを特徴とする請求の範囲１３及び１４記載のシステム。
【請求項７】
前記生理的パラメータ測定値が調整されて、前記調整された生理的パラメータ測定値を前記第１または第２の生理的パラメータ閾値のいずれかと比較する前に、前記第１の人に対して個々に判定される生理的パラメータ修正要因を含むことを特徴とする請求項1１乃至１５記載のシステム。
【請求項８】
前記制御装置が用いられて、前記第１の人が前記器具を適切に装着していないかまたは前記健康状態にあるかのいずれかと判定される場合に、警告メッセージを生成し、前記警告メッセージが前記ステーション識別子及び前記器具識別子に対応する情報を含むことを特徴とする請求項１１乃至１６記載のシステム。
【請求項９】
前記警告メッセージが、前記制御装置が接続可能である通信ネットワークを介して予め定められた受取人に送出されることを特徴とする請求項１７記載のシステム。
【請求項１０】
前記通信ネットワークが、公衆通信ネットワークであることを特徴とする請求項１８記載のシステム。
【請求項１１】
前記制御装置が用いられて、前記器具にその器具識別子及び前記器具で測定された生理的パラメータ測定値を送信するように指示することを特徴とする請求項１０乃至１９記載のシステム。
【請求項１２】
前記制御装置が用いられて、少なくとも１つの選択されたアクセスステーションを介して対応する指示を放送することによって前記器具に指示し、前記指示が前記少なくとも１つの選択されたアクセスステーションのサービスエリア内の全ての器具で受信可能であることを特徴とする請求項２０記載のシステム。
【請求項１３】
前記第１の人に取付けられて前記第１の人の少なくとも１つの生理的パラメータを観察する少なくとも１つの生理的パラメータ測定器具を含み、各々の器具が器具識別子を有していて前記セル内にあるときに前記セルの前記各アクセスステーションに接続されていることをさらに含む請求項１０乃至２１記載のシステム。
【請求項１４】
生理的パラメータ測定器具であって、
変換器と、
送信器と、
前記変換器及び前記送信器に接続されていて、前記変換器を制御して人の生理的パラメータを少なくとも間欠的に測定しかつ、前記測定値が少なくとも予め定められた閾値からはずれていると判断される場合に前記送信器を制御して前記測定された生理的パラメータに対応する測定値を送信するようになすプロセッサと、
を含み、前記生理的パラメータ測定器具が、
第１の部分と、
第２の部分と、
前記第１の部分と前記第２の部分との間で接続している可撓性中間部分と、
を有する筐体をさらに含み、
前記プロセッサ、前記送信器及び前記受信器が前記第１の筐体部分に収容され、前記変換器が前記第２の筐体部分で支持されることを特徴とする器具。
【請求項１５】
前記プロセッサに接続された受信器を更に含み、前記プロセッサが前記受信器を介して送信するようにという指示を受信する場合にだけ、前記測定値が送信されることを特徴とする請求項２３記載の器具。
【請求項１６】
前記器具が体温計であることを特徴とする請求項２３及び２４記載の器具。
【請求項１７】
前記第１及び第２の部分が互いの方へ屈曲可能であって、衣類の１部に引っかかるU字形の器具を画定し、前記変換器が人の腹部と接触してそこで体温を測定することを特徴とする請求項２５記載の装置。
【国際調査報告】
2007521030.tif 000011
2007521030.tif 000012
2007521030.tif 000013